(57)【要約】【課題】連続媒体の搬送開始から搬送速度が設定速度になるまでの間にノズル内の増粘が進行して先頭頁の印刷を行うときに正常な吐出ができなくなる。【解決手段】印刷ジョブを開始すると、ヘッド１００のノズル面をキャッピングしているキャップに対して空吐出滴を吐出させる印字前空吐出動作を行い、連続媒体１０の搬送速度が設定速度に到達したときに、連続媒体１０に対して空吐出滴を吐出する先頭頁前空吐出動作を行い、その後、先頭頁の印刷を開始し、印字中は印字中空吐出動作を行い、印字が終了し連続媒体１０の搬送が停止したときには、印字後空吐出動作を行う。【選択図】図８
2019188826.tif 000002
【特許請求の範囲】
【請求項１】
搬送される連続媒体に対して液体を吐出するノズルを有する液体吐出ヘッドと、
前記連続媒体に対して空吐出滴を吐出する空吐出動作を制御する空吐出制御手段と、を備え、
前記空吐出制御手段は、前記連続媒体の搬送開始から先頭頁の印刷を開始するまでの間に、前記連続媒体に対して空吐出滴を吐出する先頭頁前空吐出動作を行う制御をする
ことを特徴とする液体を吐出する装置。
【請求項２】
前記空吐出制御手段は、前記連続媒体の搬送速度が設定速度に達するまでの間に前記先頭頁前空吐出動作を行う制御をする
ことを特徴とする請求項１に記載の液体を吐出する装置。
【請求項３】
前記空吐出制御手段は、前記連続媒体の搬送速度が設定速度に達した後、先頭頁の印刷を開始する前に、前記先頭頁前空吐出動作を行う制御をする
ことを特徴とする請求項１に記載の液体を吐出する装置。
【請求項４】
前記空吐出制御手段は、
前記先頭頁前空吐出動作の制御を行った後、先頭頁の印刷を開始する前に、前記連続媒体に対してライン状に空吐出滴が着弾する空吐出動作を行う制御をし、
印刷中には、前記連続媒体に対して画像形成領域内で空吐出滴が鏤められて着弾する空吐出動作を行う制御をする
ことを特徴とする請求項１ないし３のいずれかに記載の液体を吐出する装置。
【請求項５】
前記空吐出制御手段は、
環境湿度が所定値以下であるときには、前記先頭頁前空吐出を行った後に、先頭頁の印刷を開始する前に、前記連続媒体に対してライン状に空吐出滴が着弾する空吐出動作を行う制御をする
ことを特徴とする請求項１又は２に記載の液体を吐出する装置。
【請求項６】
前記空吐出制御手段は、
前記連続媒体の搬送速度が所定速度以下であるときには、前記先頭頁前空吐出を行った後に、先頭頁の印刷を開始する前に、前記連続媒体に対してライン状に空吐出滴が着弾する空吐出動作を行う制御をする
ことを特徴とする請求項１又は２に記載の液体を吐出する装置。
【請求項７】
搬送される連続媒体に対して液体を吐出するノズルを有する液体吐出手段から前記連続媒体に対して空吐出滴を吐出する空吐出動作の制御をコンピュータに行わせるためのプログラムであって、
前記連続媒体の搬送開始から先頭頁の印刷を開始するまでの間に、前記連続媒体に対して空吐出滴を吐出する先頭頁前空吐出動作の制御をコンピュータに行わせるためのプログラム。
【発明の詳細な説明】
【技術分野】
【０００１】
本発明は液体を吐出する装置及びプログラムに関する。
【背景技術】
【０００２】
連続媒体に対して液体を吐出する装置においては、液体吐出手段である液体吐出ヘッドのノズルの状態を維持、回復するという、装置の主たる目的以外の目的を持つ空吐出滴を吐出する空吐出動作を行う。なお、連続媒体は、ロール紙、連続紙、帳票、ウエブ媒体などと称されるものを含む。また、空吐出は、フラッシング、予備吐出などとも称される吐出を含む。
【０００３】
印刷中に行われる空吐出動作として、連続媒体の一定の長さ毎にライン状に空吐出滴が着弾するラインフラッシング動作と、画像形成領域上に視認し難い大きさで空吐出滴が鏤められて着弾するスターフラッシング動作が知られている（特許文献１）。
【先行技術文献】
【特許文献】
【０００４】
【特許文献１】特開２０１３−０５９８７５号公報
【発明の概要】
【発明が解決しようとする課題】
【０００５】
ところで、連続媒体を使用する場合、液体吐出ヘッドがデキャップされてから先頭頁の印刷を開始するまでの待機時間が長くなると、ノズル内の液体の増粘が進行して、先頭頁の印刷開始時に正常な吐出を行うことができなくなるという課題がある。
【０００６】
本発明は上記の課題に鑑みてなされたものであり、先頭頁から正常な吐出を行なえるようにすることを目的とする。
【課題を解決するための手段】
【０００７】
上記の課題を解決するため、本発明に係る液体を吐出する装置は、
搬送される連続媒体に対して液体を吐出するノズルを有する液体吐出ヘッドと、
前記連続媒体に対して空吐出滴を吐出する空吐出動作を制御する空吐出制御手段と、を備え、
前記空吐出制御手段は、前記連続媒体の搬送開始から先頭頁の印刷を開始するまでの間に、前記連続媒体に対して空吐出滴を吐出する先頭頁前空吐出動作を行う制御をする
構成とした。
【０００８】
本発明によれば、先頭頁から正常な吐出を行うことができる。
【図面の簡単な説明】
【０００９】
【図１】本発明に係る液体を吐出する装置の一例を示す側面説明図である。
【図２】液体吐出ユニットの要部平面説明図である。
【図３】ヘッドユニットを構成する１つの液体吐出ヘッドの一例のノズル配列方向と直交する方向（液室長手方向）の断面説明図である。
【図４】同じくノズル配列方向（液室短手方向）の断面説明図である。
【図５】同装置の制御手段のブロック説明図である。
【図６】同制御手段を構成する上位装置のブロック説明図である。
【図７】同制御手段を構成する出力制御装置のブロック説明図である。
【図８】本発明の第１実施形態の説明に供する印刷制御シーケンスと空吐出復動作の関係を説明する説明図である。
【図９】同実施形態における空吐出動作の制御の説明に供するフロー図である。
【図１０】印字中空吐出動作におけるラインフラッシング（第１印刷中空吐出）及びスターフラッシング（第２印刷中空吐出）の説明に供する連続媒体上における空吐出滴の着弾状況の説明図である。
【図１１】先頭頁直前空吐出と印刷中空吐出を組み合わせたときの連続媒体上における空吐出滴の着弾状況の説明図である。
【図１２】本発明の第２実施形態における空吐出動作の制御の説明に供するフロー図である。
【図１３】同じく連続媒体上における空吐出滴の着弾状況の説明図である。
【図１４】本発明の第３実施形態における空吐出動作の制御の説明に供するフロー図である。
【図１５】本発明の第４実施形態における空吐出動作の制御の説明に供するフロー図である。
【図１６】本発明の第５実施形態における空吐出動作の制御の説明に供するフロー図である。
【発明を実施するための形態】
【００１０】
以下、本発明の実施の形態について添付図面を参照して説明する。まず、本発明に係る液体を吐出する装置の一例について図１を参照して説明する。図１は同装置の概略説明図である。
【００１１】
この装置は、連続媒体１０を搬入する搬入手段１と、搬入手段１から搬入された連続媒体１０を印刷手段５に案内搬送する案内搬送手段３と、連続媒体１０に対して液体を吐出して画像を形成する印刷を行う印刷手段５と、連続媒体１０を乾燥する乾燥手段７と、連続媒体１０を排出する排出手段９などを備えている。
【００１２】
連続媒体１０は搬入手段１の元巻きローラ１１から送り出され、搬入手段１、案内搬送手段３、乾燥手段７、排出手段９の各ローラによって案内、搬送されて、排出手段９の巻取りローラ９１にて巻き取られる。
【００１３】
この連続媒体１０は、印刷手段５において、搬送ガイド部材５９上を液体吐出ユニット５０及び液体吐出ユニット５５に対向して搬送され、液体吐出ユニット５０から吐出される液体によって画像が形成され、液体吐出ユニット５５から吐出される処理液で後処理が行われる。
【００１４】
ここで、液体吐出ユニット５０には、例えば、媒体搬送方向上流側から、４色分のフルライン型ヘッドユニット５１Ｋ、５１Ｃ、５１Ｍ、５１Ｙ（以下、色の区別しないときは「ヘッドユニット５１」という。）が配置されている。
【００１５】
各ヘッドユニット５１は、液体吐出手段であり、それぞれ、搬送される媒体１０に対してブラックＫ，シアンＣ、マゼンタＭ、イエローＹの液体を吐出する。なお、色の種類及び数はこれに限るものではない。
【００１６】
ヘッドユニット５１は、例えば、図２に示すように、複数の液体吐出ヘッド（これを、単に「ヘッド」ともいう。）１００をベース部材５２上に千鳥状に並べてヘッドアレイとしたものを使用しているが、これに限らない。また、ヘッドユニット５１は、液体吐出ヘッドとこの液体吐出ヘッドに液体供給するヘッドタンクとで構成しているが、これに限るものではなく、液体吐出ヘッド単独の構成でもよい。
【００１７】
次に、ヘッドユニットを構成する１つの液体吐出ヘッドの一例について図３及び図４を参照して説明する。図３は同ヘッドのノズル配列方向と直交する方向（液室長手方向）の断面説明図、図４は同じくノズル配列方向（液室短手方向）の断面説明図である。
【００１８】
この液体吐出ヘッドは、ノズル板１０１と、流路板（液室基板）１０２と、振動板部材１０３とを接合している。そして、振動板部材１０３を変位させる圧電アクチュエータ１１１と、共通流路部材としてフレーム部材１２０とを備えている。
【００１９】
これにより、液滴を吐出する複数のノズル１０４に通じる個別液室（圧力室、加圧室などとも称される。）１０６、個別液室１０６に液体を供給する流体抵抗部を兼ねた液体供給路１０７と、液体供給路１０７に通じる液導入部１０８とを形成している。隣り合う個別液室１０６はノズル配列方向で隔壁１０６Ａによって隔てられている。
【００２０】
そして、フレーム部材１２０の共通流路としての共通液室１１０から振動板部材１０３に形成したフィルタ部１０９を通じて、液導入部１０８、液体供給路１０７を経て複数の個別液室１０６に液体を供給する。
【００２１】
圧電アクチュエータ１１１は、振動板部材１０３の個別液室１０６の壁面を形成する変形可能な振動領域１３０を挟んで、個別液室１０６とは反対側に配置されている。
【００２２】
この圧電アクチュエータ１１１は、ベース部材１１３上に接合した複数の積層型圧電部材１１２を有している。圧電部材１１２にはハーフカットダイシングによって溝加工して、駆動波形を与える柱状の圧電素子（圧電柱）１１２Ａと、支柱１１２Ｂを所定の間隔で櫛歯状に形成している。
【００２３】
そして、圧電素子１１２Ａを振動板部材１０３の振動領域１３０に形成した島状の凸部１０３ａに接合している。また、支柱１１２Ｂを振動板部材１０３の凸部１０３ｂに接合している。
【００２４】
この圧電部材１１２は、圧電層と内部電極とを交互に積層したものであり、内部電極がそれぞれ端面に引き出されて外部電極が設けられ、圧電素子１１２Ａの外部電極に駆動波形を与えるための可撓性を有するフレキシブル配線基板としてのＦＰＣ１１５が接続されている。
【００２５】
フレーム部材１２０には、ヘッドタンクや液体カートリッジから液体が供給される共通液室１１０が形成されている。
【００２６】
この液体吐出ヘッドにおいては、例えば圧電素子１１２Ａに印加する電圧を基準電位から下げることによって圧電素子１１２Ａが収縮し、振動板部材１０３の振動領域１３０が下降して個別液室１０６の容積が膨張することで、個別液室１０６内に液体が流入する。
【００２７】
その後、圧電素子１１２Ａに印加する電圧を上げて圧電素子１１２Ａを積層方向に伸長させ、振動板部材１０３の振動領域１３０をノズル１０４方向に変形させて個別液室１０６の容積を収縮させる。これにより、個別液室１０６内の液体が加圧され、ノズル１０４から液体が吐出（噴射）される。
【００２８】
そして、圧電素子１１２Ａに印加する電圧を基準電位に戻すことによって振動板部材１０３の振動領域１３０が初期位置に復元し、個別液室１０６が膨張して負圧が発生するので、共通液室１１０から液体供給路１０７を通じて個別液室１０６内に液体が充填される。そこで、ノズル１０４のメニスカス面の振動が減衰して安定した後、次の吐出のための動作に移行する。
【００２９】
なお、このヘッドの駆動方法については上記の例（引き−押し打ち）に限るものではなく、駆動波形の与えた方によって引き打ちや押し打ちなどを行なうこともできる。
【００３０】
次に、この装置の制御手段の概要について図５ないし図７を参照して説明する。図５は同制御手段のブロック説明図、図６は同制御手段を構成する上位装置のブロック説明図、図７は同制御手段を構成する出力制御装置のブロック説明図である。
【００３１】
制御部７００は、ホスト側から印刷ジョブデータを受信して処理し、出力装置５００に転送する上位装置６００と、上位装置６００から印刷画像データを受領して印刷に係わる制御を行う出力制御装置５００とで構成される。
【００３２】
上位装置６００は、処理時間を要するＲＩＰ（Ｒａｓｔｅｒ  Ｉｍａｇｅ  Ｐｒｏｃｅｓｓｏｒ）処理を行う。出力制御装置５００は印刷処理を行う。
【００３３】
上位装置６００は、ホスト装置から出力される印刷ジョブデータ（ジョブデータ、印刷データ）に基づいて、ＲＩＰ（Ｒａｓｔｅｒ  Ｉｍａｇｅ  Ｐｒｏｃｅｓｓｏｒ）処理を行う装置である。すなわち、上位装置６００は、印刷ジョブデータに基づいて、各色に対応するビットマップデータである印刷画像データを作成する。
【００３４】
また、上位装置６００は、印刷ジョブデータ及びホスト装置の情報などに基づいて、印刷動作を制御するためのデータである制御情報データを作成する。ここで、制御情報データとは、印刷条件（印刷形態、印刷種別、給排紙情報、印刷面順、印刷用紙サイズ、印刷画像データのデータサイズ、解像度、紙種情報、階調、色情報及び印刷を行うページ数の情報など）に関するデータを含む。
【００３５】
ここで、上位装置６００は、図６に示すように、ＣＰＵ６０１、ＲＯＭ６０２、ＲＡＭ６０３、ＨＤＤ６０４、外部Ｉ／Ｆ６０５、画像データ用Ｉ／Ｆ６０６、制御情報用Ｉ／Ｆ６０７などを有する。
【００３６】
そして、外部Ｉ／Ｆ６０５を介してホスト装置から印刷ジョブデータを受領して、ＹＭＣＫのビットマップデータを生成し、生成した各色のビットマップデータをＲＡＭ６０３に書き出し、各色のビットマップデータを圧縮して符号化し、ＨＤＤ６０４に一旦格納する。
【００３７】
その後、印刷動作が開始されるときに、各色のビットマップデータを復号化して一時的にＲＡＭ６０３に書き込み、各色のビットマップデータを読み出し、各色の印刷画像データとして、画像データ用Ｉ／Ｆ６０６を介して、出力制御装置５００側に転送する。
【００３８】
また、印刷動作の進行などに応じて、出力制御装置５００との間で、制御情報用Ｉ／Ｆ６０７を介して、制御情報データの送受信を行う。
【００３９】
出力制御装置５００は、図７に示すように、装置全体の制御を司るＣＰＵ５１１、ＲＯＭ５１２、ＲＡＭ５１３、Ｉ／Ｏななどを含むマイクロコンピュータと、画像メモリと、通信インタフェースなどで構成した主制御部（システムコントローラ）５０１を備えている。
【００４０】
主制御部５０１は、上位装置６００から転送される印刷画像データ及び印刷情報データに基づいて媒体１０に画像を形成するために、印刷制御部５０２に印刷画像データを送出する。
【００４１】
印刷制御部５０２は、主制御部５０１から受領したが印刷画像データをシリアルデータで転送するとともに、この印刷用データの転送及び転送の確定などに必要な転送クロックやラッチ信号、制御信号などをヘッドドライバ５０３に出力する。
【００４２】
また、印刷制御部５０２は、内部ＲＯＭに格納されている共通駆動波形のパターンデータをＤ／Ａ変換するＤ／Ａ変換器及び電圧増幅器、電流増幅器等で構成される駆動波形生成部を含み、１の駆動パルス或いは複数の駆動パルスで構成される駆動波形をヘッドドライバ５０３に対して出力する。
【００４３】
ヘッドドライバ５０３は、シリアルに入力される１つのヘッドユニット５１に相当する印刷画像データに基づいて印刷制御部５０２から与えられる駆動波形を構成する駆動パルスを選択して圧力発生手段としての圧電素子１１２Ａに対して与えて液体を吐出させる。このとき、駆動波形を構成するパルスの一部又は全部或いはパルスを形成する波形要素の全部又は一部を選択することによって、例えば、大滴、中滴、小滴など、大きさの異なるドットを打ち分けることができる。
【００４４】
また、主制御部５０１は、モータドライバ５０４を介して、搬入手段１の元巻きローラ１１、搬入手段１、案内搬送手段３、乾燥手段７及び排出手段９の各ローラ、排出手段９の巻取りローラ９１などの各ローラ類５１０を駆動制御する。なお、駆動力はすべてのローラに与える必要はない。
【００４５】
また、主制御部５０１には、環境湿度を検出する湿度センサ５０８、その他各種センサからなるセンサ群５０６からの検出信号が入力され、また、操作部５０７との間で各種情報の入出力及び表示情報のやり取りを行う。
【００４６】
主制御部５０１は、空吐出制御手段を兼ねており、連続媒体１０に対して空吐出滴を吐出させてノズル１０４の状態を維持又は回復する空吐出動作を制御し、連続媒体１０の搬送開始から先頭頁の印刷開始までの間に、連続媒体１０に対して空吐出滴を吐出させる先頭頁前空吐出動作を含む空吐出動作に係わる制御をする。
【００４７】
次に、本発明の第１実施形態における空吐出動作について図８及び図９を参照して説明する。図８は同実施形態の説明に供する印字制御シーケンスと空吐出動作の関係を説明する説明図、図９は同実施形態における空吐出動作の制御の説明に供するフロー図である。なお、図における「ＦＬ」は「フラッシング」の略である。
【００４８】
印刷ジョブを開始すると、ヘッド１００のノズル面をキャッピングしているキャップに対して空吐出滴を吐出させる印字前空吐出動作（印刷前空吐出動作、印字前フラッシング）を行う。すなわち、印字前空吐出動作では連続媒体１０以外の領域に対して空吐出滴を吐出する。
【００４９】
そして、連続媒体１０の搬送速度が設定速度に到達したときには、先頭頁の印刷開始前に、先頭頁前空吐出動作（先頭頁前フラッシング）を行う。この先頭頁前空吐出動作では、搬送されている連続媒体１００に対して空吐出滴を吐出させる。また、本実施形態のように、連続媒体１０の搬送速度が設定速度に到達した後先頭頁の印刷開始前に行う先頭頁前空吐出（動作）を、以下では「先頭頁直前空吐出（動作）」という。
【００５０】
その後、先頭頁からの印字（印刷）が開始されると、印字中空吐出動作（印刷中空吐出動作、印字中フラッシング）を行う。この印字中空吐出動作では、搬送されている連続媒体１００に対して空吐出滴を吐出させる。この印字中空吐出動作としては、第１印字中空吐出動作（第１印刷中空吐出動作）としてのラインフラッシング動作、あるいは、第２印字中空吐出動作（第２印刷中空吐出動作）としてのスターフラッシング動作を行う。
【００５１】
そして、印字が終了し、連続媒体１０の搬送が停止したときには、ヘッド１００のノズル面をキャッピングしているキャップに対して空吐出滴を吐出させる印字後空吐出動作（印刷後空吐出動作、印字後フラッシング）を行う。
【００５２】
このように、連続媒体１０の搬送開始から搬送速度が設定速度に到達した後、先頭頁の印字（印刷）を開始する前に、連続媒体１０に対して空吐出滴を吐出する先頭頁前空吐出（先頭頁直前空吐出）を行うことで、先頭頁から正常な吐出を行うことができ、先頭頁から正常な画像を確保できる。
【００５３】
つまり、この装置では、印刷ジョブを開始すると、ヘッドユニット５１はヘッド１００がデキャップされた状態で、連続媒体１０に対向し、連続媒体１０の搬送速度が設定速度に達するまで待機する。そのため、連続媒体１０の搬送速度が設定速度に達して先頭頁の印字を開始するまでの時間が長くなると、ヘッド１００のノズル１０４内の液体の乾燥が進行し、先頭頁の印字開始時にはノズル１０４内が増粘し、正常な吐出ができなくなることがある。そこで、先頭頁の印字開始直前に空吐出動作を行うことで、先頭頁から正常な吐出を確保でき、画像品質を向上できる。
【００５４】
次に、印字中空吐出動作におけるラインフラッシング動作及びスターフラッシング動作について図１０を参照して説明する。
【００５５】
本実施形態の装置では、主制御部５０１の空吐出動作を制御する空吐出制御手段（プログラムで構成）は、印刷中における空吐出（フラッシング、予備吐出）動作として、連続媒体１０に対して一定の長さごとにライン状に空吐出滴が着弾する第１印字中空吐出（これを「ラインフラッシング」という。）動作と、連続媒体１０の画像形成領域に対して視認されにくい小さな滴が鏤められて着弾する第２印字中空吐出（これを「スターフラッシング」という。）動作を制御することができるようにしている。
【００５６】
ここで、ラインフラッシング動作では、図１０（ａ）に示すように、全てのノズルから空吐出滴４０１を吐出させることで、空吐出滴４０１がライン状に着弾する。また、スターフラッシング動作では、図１０（ｂ）に示すように、小さな空吐出滴４０２が鏤められて星状に点在して着弾する。
【００５７】
ここで、ラインフラッシングは、ページ内の画像品質に影響を与えないものの、ページ間のラインフラッシングによる空吐出滴が着弾した部分は損紙となる。一方、スターフラッシングは、損紙を発生させないものの、ページ内の画像品質に地汚れとして視認されるおそれがある。
【００５８】
また、ラインフラッシングでは、画像品質に影響を与えない頁間に空吐出滴を着弾させるために、サテライトを考慮せずに、滴速度を大きくすることができ、回復効率が高くなる。一方、スターフラッシングでは、画像形成領域に着弾させ、また画像形成に使用する小さな滴を兼用するために、空吐出滴は滴速度、滴体積共に大きくすることができない。
【００５９】
したがって、先頭頁直前空吐出動作でより強力な回復動作を行わなければならない印刷条件（低湿度環境、低印字速度など）は、印刷中空吐出としてスターフラッシングが選択されている場合である。
【００６０】
次に、先頭頁直前空吐出と印刷中空吐出を組み合わせた例について図１１を参照して説明する。図１１は連続媒体上における空吐出滴の着弾状況を説明する説明図である。
【００６１】
図１１（ａ）の例では、先頭頁直前空吐出動作で空吐出滴４０３を吐出した後、印字動作に入り、一定の長さ毎にライン状に空吐出滴４０１が着弾するラインフラッシング動作を行っている。
【００６２】
図１１（ｂ）の例では、先頭頁直前空吐出動作で空吐出滴４０３を吐出した後、印字動作に入り、印刷中空吐出動作で画像形成領域に空吐出滴４０２が鏤められて着弾するスターフラッシング動作を行っている。
【００６３】
ここでは、先頭頁直前空吐出動作で空吐出滴４０３を吐出する領域（媒体搬送方向の幅）は印刷中空吐出動作としてのラインフラッシング動作で空吐出滴４０１を吐出する領域よりも広く、つまり、媒体搬送方向におけるフラッシング回数（空吐出回数）を多くしている。
【００６４】
これにより、より確実にノズルの状態を回復して先頭頁から正常な吐出を行うことができる。
【００６５】
なお、先頭頁直前空吐出動作は空吐出を行うタイミングに関するものであり、使用する空吐出パターン（空吐出滴の着弾パターン）を限定するものではない。したがって、空吐出パターンとしては、先頭頁直前空吐出動作用の空吐出パターンを使用することもできるし、ラインフラッシング動作の空吐出パターンを使用することもできる。つまり、先頭頁直前空吐出動作はラインフラッシング動作の複数回の繰り返しで構成することもできるし、１回のラインフラッシング動作で構成することもできる。
【００６６】
次に、本発明の第２実施形態について図１２及び図１３を参照して説明する。図１２は同実施形態における空吐出動作の制御の説明に供するフロー図、図１３は同じく連続媒体上における空吐出滴の着弾状況を説明する説明図である。
【００６７】
本実施形態では、印刷中空吐出動作としてスターフラッシングが選択されている場合、先頭頁直前空吐出動作を行った後、先頭頁の印刷開始前に空吐出滴がライン状に着弾する空吐出動作としてのラインフラッシング動作を行っている。
【００６８】
すなわち、スターフラッシング動作だけでは増粘した液体の排出が不十分になるおそれがあるので、先頭頁の印刷を開始する前に、ラインフラッシング動作を行って、より確実に増粘液体を排出し、ノズルの状態を維持回復する。
【００６９】
次に、本発明の第３実施形態について図１４を参照して説明する。図１４は同実施形態における空吐出動作の制御の説明に供するフロー図である。
【００７０】
本実施形態では、環境湿度が所定値以下のときには、先頭頁直前空吐出動作を行った後、先頭頁の印刷開始前に空吐出滴がライン状に着弾する空吐出動作としてのラインフラッシング動作を行っている。
【００７１】
すなわち、環境湿度が低いと、増粘が進行しやすくなるので、先頭頁直前空吐出動作に併せて、先頭頁の印刷を開始する前に、ラインフラッシング動作を行って、より確実に増粘液体を排出し、ノズルの状態を維持回復する。
【００７２】
次に、本発明の第４実施形態について図１５を参照して説明する。図１５は同実施形態における空吐出動作の制御の説明に供するフロー図である。
【００７３】
本実施形態では、連続媒体１０の搬送速度が所定速度以下のとき、つまり、印刷速度が所定速度以下のときには、先頭頁直前空吐出動作を行った後、先頭頁の印刷開始前に空吐出滴がライン状に着弾する空吐出動作としてのラインフラッシング動作を行っている。
【００７４】
すなわち、連続媒体１０の搬送速度（印刷速度）が遅いと、先頭頁の印刷開始までの間に増粘が進行しやすくなるので、先頭頁直前空吐出動作に併せて、先頭頁の印刷を開始する前に、ラインフラッシング動作を行って、より確実に増粘液体を排出し、ノズルの状態を維持回復する。
【００７５】
なお、上記第２ないし第４実施形態において、先頭頁前空吐出動作を行った後、先頭頁の印字を開始する前に行う、空吐出滴がライン状に着弾する空吐出動作として、印字中空吐出動作としてのラインフラッシング動作を行っているが、これに限定されない。印字中空吐出動作としてのラインフラッシング動作と異なる空吐出パターンで空吐出滴がライン状に着弾する空吐出とすることもできる。
【００７６】
次に、本発明の第５実施形態について図１６を参照して説明する。図１６は同実施形態における空吐出動作の制御の説明に供するフロー図である。
【００７７】
本実施形態では、連続媒体１０の搬送を開始してから設定速度に到達するまでの間の加速中に先頭頁前空吐出動作を行っている。
【００７８】
このように構成すれば、連続媒体１０の搬送速度が設定速度に到達した後速やかに先頭頁の印刷を開始することができる。
【００７９】
また、先頭頁前空吐出動作を行った後に吐出状態を検知して、不良ノズルが検知されたときには先頭頁前空吐出動作を繰り返すこともでき、より確実に先頭頁から正常な吐出を行うことができるようになる。
【符号の説明】
【００８０】
５  印刷手段
１０  連続媒体
５０  液体吐出ユニット
５１  ヘッドユニット
１００  液体吐出ヘッド（ヘッド）
５００  出力制御装置
６００  上位装置
【図１】
2019188826.tif 000003
【図２】
2019188826.tif 000004
【図３】
2019188826.tif 000005
【図４】
2019188826.tif 000006
【図５】
2019188826.tif 000007
【図６】
2019188826.tif 000008
【図７】
2019188826.tif 000009
【図８】
2019188826.tif 000010
【図９】
2019188826.tif 000011
【図１０】
2019188826.tif 000012
【図１１】
2019188826.tif 000013
【図１２】
2019188826.tif 000014
【図１３】
2019188826.tif 000015
【図１４】
2019188826.tif 000016
【図１５】
2019188826.tif 000017
【図１６】
2019188826.tif 000018
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
搬送される連続媒体に対して液体を吐出するノズルを有する液体吐出ヘッドと、
前記連続媒体に対して空吐出滴を吐出する空吐出動作を制御する空吐出制御手段と、を備え、
前記空吐出制御手段は、前記連続媒体の搬送開始から先頭頁の印刷を開始するまでの間であって、前記連続媒体の搬送速度が設定速度に達するまでの間に、前記連続媒体に対して空吐出滴を吐出する第一の空吐出動作を制御する
ことを特徴とする液体吐出装置。
【請求項２】
前記空吐出制御手段は、前記設定速度に達した後であって、前記先頭頁の印刷を開始する前に、前記連続媒体に対して空吐出滴を吐出する第二の空吐出動作を制御する
ことを特徴とする請求項１記載の液体吐出装置。
【請求項３】
前記第一の空吐出動作によって前記連続媒体に対して空吐出滴が着弾する量は、前記第二の空吐出動作によって前記連続媒体に対して空吐出滴が着弾する量に比べ大きい
ことを特徴とする請求項２又は３に記載の液体を吐出する装置。
【請求項４】
前記空吐出制御手段は、前記連続媒体に対して画像形成領域内で空吐出滴が鏤められて着弾する第三の空吐出動作を制御する
ことを特徴とする請求項１ないし３のいずれかに記載の液体吐出装置。
【請求項５】
前記空吐出制御手段は、環境湿度が所定値以下であるとき、前記第一の空吐出動作を行った後に、先頭頁の印刷を開始する前に、前記連続媒体に対してライン状に空吐出滴が着弾する空吐出動作を制御する
ことを特徴とする請求項２ないし４のいずれかに記載の液体吐出装置。
【請求項６】
前記空吐出制御手段は、
前記連続媒体の搬送速度が所定速度以下であるときには、前記第一の空吐出動作を行った後に、先頭頁の印刷を開始する前に、前記連続媒体に対してライン状に空吐出滴が着弾する空吐出動作を制御する
ことを特徴とする請求項２ないし４のいずれかに記載の液体を吐出する装置。
【請求項７】
搬送される連続媒体に対して液体を吐出するノズルを有する液体吐出ヘッドと、
前記連続媒体に対して空吐出滴を吐出する空吐出動作を制御する空吐出制御手段と、を備え、
前記空吐出制御手段は、前記連続媒体が加速中に前記連続媒体に対して空吐出滴を吐出する第一の空吐出動作を制御する
ことを特徴とする液体を吐出する装置。
【請求項８】
搬送される連続媒体に対して液体を吐出するノズルを有する液体吐出手段から前記連続媒体に対して空吐出滴を吐出する空吐出動作の制御をコンピュータに行わせるためのプログラムであって、
前記連続媒体の搬送開始から先頭頁の印刷を開始するまでの間であって、前記連続媒体の搬送速度が設定速度に達するまでの間に、前記連続媒体に対して空吐出滴を吐出する第一の空吐出動作の制御をコンピュータに行なわせる
ことを特徴とするプログラム。
【請求項９】
前記設定速度に達した後であって前記先頭頁の印刷を開始する前に、前記連続媒体に対して空吐出滴を吐出する第二の空吐出動作の制御をコンピュータに行わせる
ことを特徴とする請求項８に記載のプログラム。
【手続補正２】
【補正対象書類名】明細書
【補正対象項目名】０００７
【補正方法】変更
【補正の内容】
【０００７】
上記の課題を解決するため、本発明に係る液体を吐出する装置は、
搬送される連続媒体に対して液体を吐出するノズルを有する液体吐出ヘッドと、
前記連続媒体に対して空吐出滴を吐出する空吐出動作を制御する空吐出制御手段と、を備え、
前記空吐出制御手段は、前記連続媒体の搬送開始から先頭頁の印刷を開始するまでの間であって、前記連続媒体の搬送速度が設定速度に達するまでの間に、前記連続媒体に対して空吐出滴を吐出する第一の空吐出動作を制御する
構成とした。
【手続補正３】
【補正対象書類名】明細書
【補正対象項目名】００４９
【補正方法】変更
【補正の内容】
【００４９】
そして、連続媒体１０の搬送速度が設定速度に到達したときには、先頭頁の印刷開始前に、第一の空吐出動作としての先頭頁前空吐出動作（先頭頁前フラッシング）を行う。この先頭頁前空吐出動作では、搬送されている連続媒体１００に対して空吐出滴を吐出させる。また、本実施形態のように、連続媒体１０の搬送速度が設定速度に到達した後先頭頁の印刷開始前に行う第二の空吐出動作としての先頭頁前空吐出（動作）を、以下では「先頭頁直前空吐出（動作）」という。
【手続補正４】
【補正対象書類名】明細書
【補正対象項目名】００５０
【補正方法】変更
【補正の内容】
【００５０】
その後、先頭頁からの印字（印刷）が開始されると、第三の空吐出動作としての印字中空吐出動作（印刷中空吐出動作、印字中フラッシング）を行う。この印字中空吐出動作では、搬送されている連続媒体１００に対して空吐出滴を吐出させる。この印字中空吐出動作としては、第１印字中空吐出動作（第１印刷中空吐出動作）としてのラインフラッシング動作、あるいは、第２印字中空吐出動作（第２印刷中空吐出動作）としてのスターフラッシング動作を行う。